(57)【要約】      （修正有）【課題】起立したパネル状構造物への設置を簡易かつ速やかに行うことができる物品載置用棚を提供する。【解決手段】棚板２の前端部に垂設される掛け止め部材３を表示装置の上部の前面に引っ掛けた状態で表示装置の上面に棚板２を載せ、一対のヒンジ部５を中心に一対のアーム４を回動させて、一対のアーム４の先端部を表示装置の後面に当接させることにより、掛け止め部材３と一対のアーム４との協働によって棚板２を支持するようにした物品載置用棚１において、一対のヒンジ部５を中心に一対のアーム４が同時に回動するように、一対のアーム４同士を連結軸１５で連結する。【選択図】図２
0003213697.tif 000002
【実用新案登録請求の範囲】
【請求項１】
物品の載置面を上面に有する棚板と、前記棚板と略直角を成すように前記棚板の前端部に垂設される掛け止め部材と、前記棚板の左右方向に間隔をあけて配される一対のアームと、前記一対のアームの先端部が前記棚板の前後方向に往復移動できるように前記一対のアームの基端部を前記棚板の後端部に回動自在に接合する一対のヒンジ部とを備え、起立したパネル状構造物の上部の前面に前記掛け止め部材を引っ掛けた状態で前記パネル状構造物の上面に前記棚板を載せ、前記一対のヒンジ部を中心に前記一対のアームを回動させて、前記一対のアームの先端部を前記パネル状構造物の後面に当接させることにより、前記掛け止め部材と前記一対のアームとの協働によって前記棚板を支持するようにした物品載置用棚において、
前記一対のヒンジ部を中心に前記一対のアームが同時に回動するように、前記一対のアーム同士を連結軸で連結することを特徴とする物品載置用棚。
【請求項２】
前記ヒンジ部は、前記棚板の後端部に設けられる枢支軸と、前記枢支軸に対応するように前記アームの基端部に設けられる凹部との係合により構成されるものであり、前記枢支軸に、前記連結軸が挿通可能な中空部を軸方向に形成し、前記連結軸を、前記枢支軸の前記中空部を通して前記枢支軸と同軸をなすように配置することを特徴とする請求項１に記載の物品載置用棚。
【請求項３】
前記枢支軸における前記凹部の奥面と対向する端面に、複数の第１の凸部を前記枢支軸の軸線回りに所定間隔で形成するとともに、前記凹部における前記枢支軸の端面と対向する奥面に、前記複数の第１の凸部と対向するように複数の第２の凸部を形成し、前記複数の第１の凸部と前記複数の第２の凸部との間にクッション材を配設し、前記アームの基端部を前記枢支軸から前記凹部が抜ける方向に付勢する付勢手段を設け、前記連結軸の端部に前記アームの基端部を貫通して突出する雄ねじを設け、前記雄ねじと螺合する雌ねじを有し前記アームの基端部に当接する締付ノブを設け、前記締付ノブの締付操作により、前記付勢手段の付勢力に抗して、前記複数の第２の凸部を、前記クッション材を介して前記複数の第１の凸部が形成された前記枢支軸の端面に押し付けるようにすることを特徴とする請求項２に記載の物品載置用棚。
【考案の詳細な説明】
【技術分野】
【０００１】
本考案は、小物等の物品を載置するための物品載置用棚に関し、特に、液晶ディスプレイ等の薄型の映像表示装置やオフィス用パーティション等のような起立したパネル状構造物の上部のスペースを有効利用して必要な物品を載置できるようにした物品載置用棚に関するものである。
【背景技術】
【０００２】
近年、液晶テレビやプラズマテレビ、コンピュータのモニターといった薄型平面ディスプレイが多く開発されており、表示パネルを組み込む筐体の厚さ（奥行）も非常に薄く形成できるようになってきている。このような薄型の表示装置は、テーブルまたは机の上面に置いて使われることが多い。しかし、机等の上面に置かれた表示装置が机等の上面に占める設置面積は相当に大きいものであるにもかかわらず、表示装置の上部には消耗品や備品、装飾品等を何も載せることができず、机等の上面の有効利用が制限されるという問題点があった。
【０００３】
このような問題点を解決するための物品載置用棚が例えば特許文献１にて提案されている。
【先行技術文献】
【特許文献】
【０００４】
【特許文献１】意匠登録第１５８５２０１号公報
【０００５】
上記の特許文献１に係る物品載置用棚は、物品の載置面を上面に有する棚板と、棚板と略直角を成すように棚板の前端部に垂設される掛け止め部材と、棚板の左右方向に間隔をあけて棚板の下面側に配される一対のアームと、一対のアームの先端部が棚板の前後方向に往復移動できるように一対のアームの基端部を棚板の後端部に回動自在に接合する一対のヒンジ部とを備えている。
【０００６】
この物品載置用棚においては、ディスプレイ等の表示装置やオフィス用パーティション等のような起立したパネル状構造物（以下、単に「パネル状構造物」と称する。）の上部の前面に掛け止め部材を引っ掛けた状態でパネル状構造物の上面に棚板を載せ、一対のヒンジ部を中心に一対のアームを回動させて、一対のアームの先端部をパネル状構造物の後面に当接させることにより、掛け止め部材と一対のアームとの協働によって棚板を略水平状態で支持するようにされている。
【０００７】
しかしながら、この従来の物品載置用棚では、一対のアームのそれぞれが一対のヒンジ部を介して独立して回動する構成であるため、一方側のアームの先端部をパネル状構造物の後面に当接させる操作を行った後、他方側のアームについても同様の操作を行わなければならず、パネル状構造物への設置を簡易かつ速やかに行うことができないという問題点がある。
【考案の概要】
【考案が解決しようとする課題】
【０００８】
本考案は、前述のような問題点に鑑みてなされたもので、起立したパネル状構造物への設置を簡易かつ速やかに行うことができる物品載置用棚を提供することを目的とするものである。
【課題を解決するための手段】
【０００９】
前記目的を達成するために、本考案による物品載置用棚は、
物品の載置面を上面に有する棚板と、前記棚板と略直角を成すように前記棚板の前端部に垂設される掛け止め部材と、前記棚板の左右方向に間隔をあけて配される一対のアームと、前記一対のアームの先端部が前記棚板の前後方向に往復移動できるように前記一対のアームの基端部を前記棚板の後端部に回動自在に接合する一対のヒンジ部とを備え、起立したパネル状構造物の上部の前面に前記掛け止め部材を引っ掛けた状態で前記パネル状構造物の上面に前記棚板を載せ、前記一対のヒンジ部を中心に前記一対のアームを回動させて、前記一対のアームの先端部を前記パネル状構造物の後面に当接させることにより、前記掛け止め部材と前記一対のアームとの協働によって前記棚板を支持するようにした物品載置用棚において、
前記一対のヒンジ部を中心に前記一対のアームが同時に回動するように、前記一対のアーム同士を連結軸で連結することを特徴とするものである（第１考案）。
【００１０】
本考案において、前記ヒンジ部は、前記棚板の後端部に設けられる枢支軸と、前記枢支軸に対応するように前記アームの基端部に設けられる凹部との係合により構成されるものであり、前記枢支軸に、前記連結軸が挿通可能な中空部を軸方向に形成し、前記連結軸を、前記枢支軸の前記中空部を通して前記枢支軸と同軸をなすように配置するのが好ましい（第２考案）。
【００１１】
前記枢支軸における前記凹部の奥面と対向する端面に、複数の第１の凸部を前記枢支軸の軸線回りに所定間隔で形成するとともに、前記凹部における前記枢支軸の端面と対向する奥面に、前記複数の第１の凸部と対向するように複数の第２の凸部を形成し、前記複数の第１の凸部と前記複数の第２の凸部との間にクッション材を配設し、前記アームの基端部を前記枢支軸から前記凹部が抜ける方向に付勢する付勢手段を設け、前記連結軸の端部に前記アームの基端部を貫通して突出する雄ねじを設け、前記雄ねじと螺合する雌ねじを有し前記アームの基端部に当接する締付ノブを設け、前記締付ノブの締付操作により、前記付勢手段の付勢力に抗して、前記複数の第２の凸部を、前記クッション材を介して前記複数の第１の凸部が形成された前記枢支軸の端面に押し付けるようにするのが好ましい（第３考案）。
【考案の効果】
【００１２】
本考案の物品載置用棚によれば、一対のアームのうちの一方側のアームに対して回動操作力を加えると、加えた回動操作力の一部が連結軸を介して他方側のアームに伝達されるので、一方側のアームを回動させると、他方側のアームが連動して回動され、一方側のアームの先端部を、起立したパネル状構造物の後面に当接させれば、これと同時に、他方側のアームの先端部も、起立したパネル状構造物の後面に当接することになり、一方側のアームの１回の回動操作で一対のアームの両方の先端部を、同時に、起立したパネル状構造物の後面に当接させることができ、起立したパネル状構造物への設置を簡易かつ速やかに行うことができる。
【００１３】
第２考案の構成を採用することにより、一対のアームのうちの一方側のアームに対して加えた回動操作力の一部を、連結軸を介して他方側のアームに確実に伝達することができ、一対のアームの回動操作をよりスムーズに行うことができる。
【００１４】
第３考案の構成を採用することにより、枢支軸に対するアームの回動操作時に、複数の第２の凸部がクッション材を介して複数の第１の凸部を乗り越え係合して複数の第１の凸部と噛み合い、枢支軸回りのアームの相対回動位置を多段階で調整することができる。このときの乗り越え係合に必要とされる枢支軸回りのアームの回動操作力、言い換えると、枢支軸回りのアームの相対回動位置を多段階で調整するのに必要な操作力は、締付ノブの締付操作量に応じて調整することができる。ここで、アームの基端部に対する締付ノブの締付操作方向の相対位置は、付勢手段からの付勢力に応じてアームの基端部と締付ノブとの間に働く摩擦力によって保持されるので、枢支軸回りのアームの相対回動位置を多段階で調整するのに必要な操作力の調整を締付ノブの操作で容易に行うことができる。
【図面の簡単な説明】
【００１５】
【図１】本考案の一実施形態に係る物品載置用棚の全体斜視図である。
【図２】同物品載置用棚の分解斜視図である。
【図３】同物品載置用棚の表示装置への設置状態を示す斜視図である。
【図４】表示装置に設置した同物品載置用棚上に物品を載置した状態を示す斜視図である。
【図５】同物品載置用棚の折畳状態を示し、（ａ）は上方斜視図、（ｂ）は下方斜視図である。
【考案を実施するための形態】
【００１６】
次に、本考案による物品載置用棚の具体的な実施の形態について、図面を参照しつつ説明する。なお、以下においては、起立したパネル状構造物として例えば液晶ディスプレイ等の薄型の映像表示装置（以下、単に「表示装置」と称する。）に取り付ける物品載置用棚について説明するが、本考案は、これに限定されるものではなく、オフィス用パーティションを含むその他の起立したパネル状構造物に対しても適用可能である。
【００１７】
＜物品載置用棚の概略説明＞
図１に示される物品載置用棚１は、物品の載置面を上面に有する棚板２と、棚板２と略直角を成すように棚板２の前端部に垂設される掛け止め部材３と、棚板２の左右方向に間隔をあけて棚板２の下面側に配される一対のアーム４と、一対のアーム４の先端部が棚板２の前後方向に往復移動できるように一対のアーム４の基端部を棚板２の後端部に回動自在に接合する一対のヒンジ部５とを備えて構成されている。なお、棚板２の裏面には、適宜に補強リブ２ａ（図５（ｂ）参照）を設けることができる。また、後述するように、物品載置用棚１を表示装置４０に設置するに当たっては、掛け止め部材３を表示装置４０の上部の前面に引っ掛けるが、このとき、掛け止め部材３によって表示装置４０の上部の前面に傷等を付けないようにするために、掛け止め部材３の裏面に、例えばゴム製のクッション材６が所要箇所に貼り付けられている。また、後述するように、物品載置用棚１を表示装置４０に設置する際には、一対のアーム４の先端部を表示装置４０の後面に当接させるが、このとき、表示装置４０の後面に対し一対のアーム４の先端部が滑らずに安定的に当接するようにするために、各アーム４の先端部には、例えばゴム製の滑り止め材７が装着されている。
【００１８】
＜ヒンジ部の説明＞
図２に示されるように、ヒンジ部５は、棚板２の後端部に設けられる枢支軸１１と、枢支軸１１に対応するようにアーム４の基端部に設けられる凹部１２との係合により構成されている。ここで、枢支軸１１には、軸方向に開口された中空部１３が形成され、アーム４の基端部には、凹部１２の奥面の中心部を貫通するように略長方形状の軸取付用係合孔１４が形成されている。
【００１９】
＜連結軸の説明＞
一対のアーム４同士は、連結軸１５によって連結されている。連結軸１５は、一方側のヒンジ部５における枢支軸１１の中空部１３と、他方側のヒンジ部５における枢支軸１１の中空部１３とを通して、枢支軸１１と同軸をなすように配置されている。
【００２０】
連結軸１５の一端部には、一方側のアーム４の基端部に形成された軸取付用係合孔１４を通して突出する雄ねじ１６が形成されている。連結軸１５における雄ねじ１６に隣接する端部寄りの部位には、連結軸１５の軸線を中心に対称配置される２つの平坦面を有する断面略長方形状の角軸部１７が形成されている。角軸部１７は、アーム４の基端部に形成されている軸取付用係合孔１４と嵌合する。また、連結軸１５の他端部は、他方側のアーム４の基端部に固着されている。こうして、例えば、一方側のアーム４に対して加えた回動操作力の一部を、軸取付用係合孔１４と角軸部１７との嵌合部分、連結軸１５の本体部分を介して他方側のアーム４に伝達することができる。
【００２１】
＜第１，第２の凸部の説明＞
枢支軸１１における凹部１２の奥面と対向する端面には、複数の第１の凸部２１が枢支軸１１の軸線回りに所定間隔で形成されるとともに、凹部１２における枢支軸１１の端面と対向する奥面には、複数の第１の凸部２１と対向するように複数の第２の凸部２２が形成されている。第１の凸部２１および第２の凸部２２は、いずれもフェースギヤ（円盤状歯車）の歯のような形状とされている。
【００２２】
＜クッション材の説明＞
複数の第１の凸部２１と複数の第２の凸部２２との間には、リング状のクッション材２３が配設されている。クッション材２３の構成材としては、柔軟な素材であれば特に限定されるものではないが、例えばゴム弾性を有するエラストマーが好適であり、具体的には、例えば、ポリエチレン系樹脂、ポリプロピレン系樹脂、ポリウレタン系樹脂、ポリスチレン系樹脂などの合成樹脂およびその発泡体が挙げられる。
【００２３】
＜付勢手段の説明＞
枢支軸１１には、圧縮コイルばね２４が外嵌されている。圧縮コイルばね２４の一端は、凹部１２の内周面に形成された段付き面２５に当接され、圧縮コイルばね２４の他端は、枢支軸１１の基端部と棚板２の本体部分との境界に形成された段付き面２６に当接されている。アーム４の基端部は、圧縮コイルばね２４により、凹部１２が枢支軸１１から抜ける方向に付勢されている。
【００２４】
＜締付ノブの説明＞
連結軸１５の一端部には、雄ねじ１６と螺合する雌ねじ２７を有し一方側のアーム４の基端部に当接する締付ノブ３０が螺着されている。この締付ノブ３０の締付操作により、圧縮コイルばね２４の付勢力に抗して、複数の第２の凸部２２を、クッション材２３を介して複数の第１の凸部２１が形成された枢支軸１１の端面に押し付けることができる。
【００２５】
以上に述べたように構成される物品載置用棚１を表示装置４０に設置するに当たっては、図３に示されるように、掛け止め部材３を表示装置４０の上部の前面に引っ掛けた状態で表示装置４０の上面に棚板２を載せ、一対のアーム４のうちの一方側のアーム４の先端部を表示装置４０の後面に当接させるように一方側のアーム４に対して回動操作力を加える。加えた回動操作力の一部は、連結軸１５を介して他方側のアーム４に伝達されるので、一方側のアーム４を回動させると、他方側のアーム４が連動して回動され、一方側のアーム４の先端部を表示装置４０の後面に当接させれば、これと同時に、他方側のアーム４の先端部も表示装置４０の後面に当接する。このとき、枢支軸１１の回りのアーム４の相対回動位置を適宜に調整し、棚板２に対する一対のアーム４の角度を調整して、棚板２が略水平状態となるようにすることにより、掛け止め部材３と一対のアーム４との協働によって棚板２が略水平状態で支持され、図４に示されるように、棚板２の上面に物品Ｍを安定的に置くことができる。
【００２６】
なお、他方側のアーム４の先端部を表示装置４０の後面に当接させるように他方側のアーム４に対して回動操作を行っても、上記と同様に、一対のアーム４の先端部を表示装置４０の後面に同時に当接させることができる。
【００２７】
また、表示装置４０から物品載置用棚１を取り外した状態で、一方側または他方側のアーム４に対して回動操作力を加え、一方側または他方側のアーム４の全体を棚板２の下面に当接させるようにすれば、これと同時に、他方側または一方側のアーム４の全体も棚板２の下面に当接させるようにすることができ、図５（ａ）および（ｂ）に示されるように、一対のアーム４を折り畳むことができる。こうして、物品載置用棚１を扁平な状態にすることができて、収納や持ち運びに便利な形態とすることができる。
【００２８】
＜作用効果の説明＞
本実施形態の物品載置用棚１によれば、一方側または他方側のアーム４の１回の回動操作で一対のアーム４の両方の先端部を同時に表示装置４０の後面に当接させることができるので、表示装置４０への設置を簡易かつ速やかに行うことができる。
【００２９】
また、一対のアーム４は、枢支軸１１の中空部１３を通して枢支軸１１と同軸をなすように配置される連結軸１５によって連結されている。これにより、一対のアーム４のうちの一方側または他方側のアーム４に対して加えた回動操作力の一部が、連結軸１５を介して他方側または一方側のアーム４に確実に伝達され、一対のアーム４の回動操作をよりスムーズに行うことができる。
【００３０】
また、枢支軸１１における凹部１２の奥面と対向する端面には、複数の第１の凸部２１が形成され、凹部１２における枢支軸１１の端面と対向する奥面には、複数の第２の凸部２２が形成され、複数の第１の凸部２１と複数の第２の凸部２２との間には、クッション材２３が配設されている。これにより、枢支軸１１に対するアーム４の回動操作時に、複数の第２の凸部２２がクッション材２３を介して複数の第１の凸部２１を乗り越え係合して複数の第１の凸部２１とソフトに噛み合うことになり、枢支軸１１の回りのアーム４の相対回動位置を多段階で調整することができる。このときの乗り越え係合に必要とされる枢支軸１１の回りのアーム４の回動操作力、言い換えると、枢支軸１１の回りのアーム４の相対回動位置を多段階で調整するのに必要な操作力は、締付ノブ３０の締付操作量に応じて調整することができ、また、アーム４の基端部に対する締付ノブ３０の締付操作方向の相対位置は、圧縮コイルばね２４からの付勢力に応じてアーム４の基端部と締付ノブ３０との間に働く摩擦力によって保持されるので、枢支軸１１の回りのアーム４の相対回動位置を多段階で調整するのに必要な操作力の調整を締付ノブ３０の操作で容易に行うことができる。
【００３１】
以上、本考案の物品載置用棚について、一実施形態に基づいて説明したが、本考案は上記実施形態に記載した構成に限定されるものではなく、その趣旨を逸脱しない範囲において適宜その構成を変更することができるものである。
【産業上の利用可能性】
【００３２】
本考案の物品載置用棚は、起立したパネル状構造物への設置を簡易かつ速やかに行うことができるという特性を有していることから、表示装置やオフィス用パーティション等の上部のスペースを有効利用して消耗品や備品、装飾品等の必要な物品を載置する用途に好適に用いることができ、産業上の利用可能性が大である。
【符号の説明】
【００３３】
１    物品載置用棚
２    棚板
３    掛け止め部材
４    アーム
５    ヒンジ部
１１  枢支軸
１２  凹部
１３  中空部
１５  連結軸
２１  第１の凸部
２２  第２の凸部
２３  クッション材
２４  圧縮コイルばね（付勢手段）
３０  締付ノブ
４０  表示装置
【図１】
0003213697.tif 000003
【図２】
0003213697.tif 000004
【図３】
0003213697.tif 000005
【図４】
0003213697.tif 000006
【図５】
0003213697.tif 000007